(57)【特許請求の範囲】
【請求項１】
紙幣、又はシート材料に印刷されて送られて来たメッセージのようなシート材料を効果的に取扱うための装置であって、
該装置は、該シート材料を束に集めるための手段と；包材（２６，２８）の貯蔵（２５，２７）と；包材の貯蔵から取り出した包材（２６，２８）でシート材料の束を封入するための手段（３０，３２−３４）を備え；該貯蔵は、包材の二つの相互に協同作用するロール（２５’，２７’）と；そしてあらかじめ決められたパターンに従って該装置内の種々のユニット間の協同作用を調整及び制御するためのプロセッサー（１５）を含み；
該装置は、包材の貯蔵（２５，２７）がパルス発生要素（２５２１，２５３１；２５２２，２５３２）を含むことと；そしてロール（２５’，２７’）の運動に応答して送られたパルスを読み取り、そしてこれらのパルスをプロセッサー（１５）へ送るように機能するパルス読み取り要素（２９）が貯蔵（例えば２５）のパルス発生要素（２５２１，２５２２）に近接して装置の固定本体（２０）上に備えられており；そして
該パルス発生要素（例えば２５２１，２５２２）は包材貯蔵（２５，２７）の端壁（例えば２５２，２５３）上に配置され、そしてそれぞれのロール（２５’）の周縁近くの外側クロックパルス発生要素（２５２１）と、そしてそれぞれのロール（２５’）の中心により近い内側情報発生要素（２５２２）からなること；及びパルス読み取り要素（２９１，２９２）は二つのパルス発生要素の各自（２５２１，２５２２）のために備えられていることを特徴とする前記装置。
【発明の詳細な説明】
【０００１】
【本発明の分野】
本発明は、紙幣又は伝送されたメッセージが印刷されたシートのようなシート材料の取り扱いに有効な装置に関し、該装置はシートを束ねる手段，結束又は包袋材料の貯蔵と、前記貯蔵から取り出された包材でシート材料の束を包むための手段を含み、前記貯蔵は二つの相互に協働して動く包材のロールと、そして更に予め決められたパターンに従って該装置中の種々のユニットの相互協働動作を調整し且つ制御するための処理装置含んでいる。
【０００２】
【背景技術の説明】
この種の装置は、例えばアメリカ特許明細書５，０３１，３７９により公知である。しかし、これらの装置それ自体は十分に機能し、そして必要を満足するものであるが、そのような装置の利用及び関心が発達するにつれ、増々複雑化した要求が表明されている。例えば
貯蔵の中に残された包材がもう無くなる時；貯蔵の中にどれだけの包材が残っているか；残っている材料ストックから製造することができる封筒の数；
集められたシートの束が包材で包まれ、そして包材の貯蔵から正確に溶断されているかいないか；
新たに挿入された包材の貯蔵が、正確に位置決めされているか又はいないか；
そして
特定の時点で装置の中に貯蔵されている包材のタイプ；を知ることが望まれる。
【０００３】
この性格の問題は、本発明に従って構築された装置によって、容易且つ積極的に処理することができる。
【０００４】
【本発明の概要】
本発明に従うと、先に述べたような種類の装置中の包材の貯蔵は、パルス発生要素を備え、そしてパルス読み取り要素が貯蔵上の前記パルス発生要素と近接した接続に該装置の固定された本体上に配置されており、前記パルス読み取り要素はロールの動きに応答して発生させられたパルスを読み取り、且つこれらのパルスを装置プロセッサーへ送るように機能する。これらのそして他の本発明の特徴は、付随する特許請求の範囲により明らかにされるであろう。
【０００５】
【好ましい具体例の説明】
図１の中に示した公知の装置は、信号受信手段及びシート貯蔵から取り出されたシート上に受け取ったメッセージを印字するためのプリンター４３を含んでいるテレファックス形式の受信器と、そしてシートが印字された時にプリンター４３を通過した印字されたシートを一緒に結束するために機能する閉鎖ケーシング１１とを含んでいる。更に含まれているのは、その中に集められたシートの束が結束され又は封入される包材２６及び２８の貯蔵（ロール）２５，２７である。束は、垂直方向（紙の面に平行）の結合を作るために機能する第１の結合要素３０；水平方向（紙の面に直角）の結合を作るために機能する第２の結合要素３２−３４；そして施錠可能な箱１４へ封入されたシートの束を運ぶための運搬ローラー３５の助けにより包まれる。
【０００６】
図２は、包材（プラスチック）２６を収容したサブ貯蔵２５を示している。包材は、端壁２５２，２５３がそれらの各末端に固定された円筒形のボビン２５１上に巻き取られている。それぞれの端壁は、パルス発生手段、即ち、それぞれの端壁の周縁近くの外側クロックパルス発生手段２５２１，２５３１と、それぞれの端壁の中心により近い内側情報発生手段２５２２，２５３２を有している。パルス読み取り要素２９はサブ貯蔵２５の回転運動に応答して供給されるパルス（クロックパルス，情報パルス）を読み取り、そしてこれらのパルスを装置の中にある種々のユニットの相互協働動作を調整し且つ制御するために特に適応したプロセッサーへ送るために機能し、サブ貯蔵２５の左側端壁２５２上にパルス発生要素２５２１，２５２２と近接した関係にシート封入装置の固定フレーム２０上に取付けられる。
【０００７】
パルス読み取り要素２９は、外側クロックパルスを検出するサブ要素２９１及び内側情報読み取りサブ要素２９２より構成されている。各サブ要素は、包材の供給が装置の中に正確に置かれた時に端壁上のパルス発生要素を取り囲む“フォーク”を含んでおり、換言すれば、サブ貯蔵２５が回転する時に各サブ要素は関連するパルス発生要素を常に読み取るであろう。
【０００８】
図３は、前記外側パルス発生要素２５２１，該内側情報発生要素２５２２，及び要素２５２１のためのサブ要素２９１と要素２５２２のための要素２９２の二つのフォーク状要素を備えたパルス読み取り要素２９を有するサブ貯蔵端壁２５２を示している。
【０００９】
見られるように、要素２５２は９０度周囲の領域にわたって８本の歯と８つの間隙を有しているのに対して、図示されたケースでは要素２５２２は同じ長さの円弧上に１本の歯と１つの間隙を有しているに過ぎない。
【００１０】
二本の案内支柱３６，３７は、装置の中でロールが定位置にある時ロールを案内し、そして装置の操作が行われている間はロールを安全に支持するために機能し、二つの側壁の間に配置される。これらの案内支柱は、パルス発生要素２５２１，２５２２がパルス読み取りサブ要素２９１，２９２に関して正確に自由な位置決めすることを確実にしている。これらの要素は公知の態様で、発光要素及び光感知要素を弧状要素２５２１，２５２２の各側面上に含んでいる。
【００１１】
外側パルス発生要素から出力されたパルスは、ロールが回転していることを知らせる。外側及び内側パルス発生要素からのパルス間の比較は、ロールの回転方向を指示し、そして内側パルス発生要素によって出力されるパルスは、例えば貯蔵の中の包材のタイプ、前記包材の品質、その厚みなどに関する情報を与える。
【００１２】
ロール上のパルス発生要素の装置は、装置を操作し／制御する更なる可能性を提供する。収納包材のロールの製造において、この制御能力は、最初包材をロール又はボビン上に一方向に多数回巻き、次に包材の残りを反対方向に巻くことによって達成される。このことは、ロールから包材が取り出される時に、二つのロールはパルス感知要素により感知される所定（相互に反対）の方向に回転するという利益を提供する。包材の巻きほぐしが巻き取り方向が逆転されていた位置へ到達した時、下に横たわる巻回層から包材が滑り落ちるため続いての包材の間ロールは静止し、それによってロールは残りの包材がなくなるまで他の方向に回転するであろう。一方向への回転−静止ロール−逆転方向への回転よりなるシーケンスは要素２９によって感知され、それによってプロセッサーへ予め決められた信号を送り、そしてまたプロセッサーを経由して装置内のある種の工程／信号を発生させる。
【００１３】
上に記載した相互調整及び制御プロセッサーは、図１中に１５で示されている。
【００１４】
本発明は、メッセージが印刷されたシートの運搬を伴う記載した例示具体例に限定されないことが理解されるであろう。例えば本発明は、紙幣の束が封入、収納または同様に包装される、紙幣の取り扱いに関しても利用できる。それぞれの束は１００枚の紙幣を包含することができ、又は該束はその代りに相互に異なる予め決められた紙幣の枚数を包含することができる。この場合、与えられた枚数の紙幣が紙幣の貯蔵から独立して取り出され、そして束に集められる。その後紙幣束は、全て上で記載したところに従って、この目的のため下流側に設けられた手段によって包材（プラスチック）の貯蔵から取り出された包材の中に収納される。
【図面の簡単な説明】
【図１】  アメリカ特許明細書５，０３１，３７９に従った装置を示す。
【図２】  包材を運ぶローラーの断面図であり、端壁及びパルス発生要素を示している。
【図３】  パルス発生要素及びパルス読み取り要素を担持している端壁の正面図である。
【図１】
0004841798.tif 000002
【図３】
0004841798.tif 000003
【図２】
0004841798.tif 000004